(57)【特許請求の範囲】
【請求項１】
補正対象となる人物画像の画像データである元画像を取得する画像情報取得部と、
前記画像情報取得部で取得する前記元画像から顔の肌の部分である顔肌領域を抽出することにより、前記元画像に前記顔肌領域の位置情報を付加したマスク付画像を生成する顔肌領域抽出画像生成部と、
前記顔肌領域抽出画像生成部で生成する前記マスク付画像から平滑化処理により下地用画像を生成する下地用画像生成部と、
前記下地用画像生成部で生成した前記下地用画像と、前記画像情報取得部から取得した前記元画像とを合成することにより美肌化画像を生成する合成部と、
を有し、
前記合成部は、前記下地用画像と前記元画像の対応する各画素の色情報を比較し、その差があらかじめ設定してある閾値以上の画素は前記元画像の画素値を前記下地用画像の画素値とあらかじめ設定した割合で合成した値へ変更する画像処理装置。
【請求項２】
前記下地用画像生成部は、平滑化フィルタを用いて平滑化処理を行い、前記下地用画像を生成することを特徴とする請求項１に記載の画像処理装置。
【請求項３】
前記下地用画像生成部は、平滑化処理に用いる平滑化フィルタをあらかじめ設定しておくことを特徴とする請求項２に記載の画像処理装置。
【請求項４】
前記下地用画像生成部は、前記入力設定部に入力されるパラメータに基づいて平滑化処理に用いる平滑化フィルタを選択することを特徴とする請求項１乃至３のいずれか１の項に記載の画像処理装置。
【請求項５】
前記入力設定部に入力されるパラメータは、補正対象となるしみまたはしわの少なくともいずれか一方の範囲を指定するパラメータであって、当該パラメータに基づいて、前記合成部において前記下地用画像と前記元画像の対応する各画素の比較をする際の閾値が設定されることを特徴とする請求項４に記載の画像処理装置。
【請求項６】
前記入力設定部に入力されるパラメータは、補正する度合いを指定するパラメータであって、当該パラメータに基づいて、前記合成部において前記元画像と前記下地用画像の画素の画素値を合成する際の割合が設定されることを特徴とする請求項４又は５に記載の画像処理装置。
【請求項７】
前記合成部で生成される美肌化画像を印刷する印刷部を有することを特徴とする請求項１から６のいずれか１の項に記載の画像処理装置。
【請求項８】
画像処理装置が、補正対象となる人物画像の画像データである元画像を取得するステップと、
画像処理装置が、取得した前記元画像から顔の肌の部分である顔肌領域を抽出することにより、前記元画像に前記顔肌領域の位置情報を付加したマスク付画像を生成するステップと、
画像処理装置が、前記マスク付画像から平滑化処理により下地用画像を生成するステップと、
画像処理装置が、前記下地用画像と前記元画像の対応する各画素の色情報を比較し、その差があらかじめ設定してある閾値以上の画素は前記元画像の画素値を前記下地用画像の画素値とあらかじめ設定した割合で合成した値へ変更するステップと、
を有する画像処理方法。
【請求項９】
コンピュータに、
補正対象となる人物画像の画像データである元画像を取得するステップと、
取得した前記元画像から顔の肌の部分である顔肌領域を抽出することにより、前記元画像に前記顔肌領域の位置情報を付加したマスク付画像を生成するステップと、
前記マスク付画像から平滑化処理により下地用画像を生成するステップと、
前記下地用画像と前記元画像の対応する各画素の色情報を比較し、その差があらかじめ設定してある閾値以上の画素は前記元画像の画素値を前記下地用画像の画素値とあらかじめ設定した割合で合成した値へ変更することにより美肌化画像を生成するステップと、
を実行させるためのプログラム。
【発明の詳細な説明】
【技術分野】
【０００１】
本発明は、人物が撮影された画像に対して画像補正を行う画像処理装置、画像処理方法及びプログラムに関する。
【背景技術】
【０００２】
現在、人物が撮影された写真の見栄えをよくするために種々の方法が用いられている。特に撮影方法や画像処理により、肌のしみやしわなどを目立たなくする事は一般的になってきている。この具体的な方法としては、第一に写真撮影時に照明機材を配置する位置を調整して被写体への照明の当たり方を最適にすることで人物の肌に存在するしみやしわを目立たなくし、写真の出来ばえを良くする方法（例えば特許文献1参照）や、写真撮影時に焦点を合わせた画像と焦点をずらした（ぼかした）画像を同時に撮影して合成する方法（例えば特許文献2参照）が挙げられる。第二に、撮影後の画像に対してユーザがしみやしわの位置を指定して画像処理により補正を行う方法（例えば特許文献3参照）が挙げられる。
【特許文献１】特開２００４−２３４５７１号公報
【特許文献２】特開２００５−１５９５６１号公報
【特許文献３】特開２００３−２０９６８３号公報
【発明の開示】
【発明が解決しようとする課題】
【０００３】
しかし、上記第一の方法では、撮影時になんらかの準備または特殊な撮影方法をしなければならず、既に撮影した画像の修正はできない、という問題がある。また、第二の方法では、ユーザが画像処理専用のアプリケーションを用いて個々のしわやパーツを加工する必要があるので、このような専用アプリケーションを使いこなすための高度な知識と技能をユーザが習得しなければならない、という問題がある。
本発明は上記の点に鑑みてなされたものであり、その目的は、人物画像を撮影後に補正が可能であり、ユーザが簡単な操作で補正を行うことを可能にする画像処理装置および画像処理方法を提供することにある。
【課題を解決するための手段】
【０００４】
本発明は上記の課題を解決するためになされたものであり、補正対象となる人物画像の画像データである元画像を取得する画像情報取得部と、前記画像情報取得部で取得する前記元画像から顔の肌の部分である顔肌領域を抽出することにより、前記元画像に前記顔肌領域の位置情報を付加したマスク付画像を生成する顔肌領域抽出画像生成部と、前記顔肌領域抽出画像生成部で生成する前記マスク付画像から平滑化処理により下地用画像を生成する下地用画像生成部と、前記下地用画像生成部で生成した前記下地用画像と、前記画像情報取得部から取得した前記元画像とを合成することにより美肌化画像を生成する合成部と、を有し、前記合成部は、前記下地用画像と前記元画像の対応する各画素の色情報を比較し、その差があらかじめ設定してある閾値以上の画素は前記元画像の画素値を前記下地用画像の画素値とあらかじめ設定した割合で合成した値へ変更する画像処理装置である。ここで、美肌化画像とは、画像処理により、人物写真の顔にあるしわやしみを目立たなくして、見栄えをよくした画像等が適用可能である。
【０００５】
この発明によれば、元画像を取得し、該元画像を基に顔の肌の部分である顔肌領域の画像を滑らかにする平滑化処理を施した下地用画像を生成し、元画像と合成するので、人物画像を撮影後に、ユーザが簡単な操作で補正を行うことが可能になる。
【０００６】
また、本発明は、上記の画像処理装置において、前記下地用画像生成部は、平滑化フィルタを用いて平滑化処理を行い、前記下地用画像を生成することを特徴とする
【０００７】
この発明によれば、平滑化フィルタを用いて平滑化処理を行うので、しみやしわ等を含め、画像の濃淡を軽減させた下地用画像を生成することが可能になる。
【０００８】
また、本発明は、上記の画像処理装置において、前記下地用画像生成部は、平滑化処理に用いる平滑化フィルタをあらかじめ設定しておくことを特徴とする。
【０００９】
この発明によれば、平滑化処理に用いる平滑化フィルタをあらかじめ設定しておくので、ユーザは平滑化フィルタを設定するパラメータを入力する必要がなくなり、簡単な操作で補正が行うことが可能になる。
【００１２】
また、本発明は、上記の画像処理装置において、前記合成部は、前記下地用画像と前記元画像の対応する各画素の色情報を比較し、その差があらかじめ設定してある閾値以上の画素は前記元画像の画素値を前記下地用画像の画素値とあらかじめ設定した割合で合成した値へ変更することを特徴とする。
【００１３】
この発明によれば、閾値を用いて各画素の色情報を比較するので、軽度なしみやしわまで補正対象とするか、重度なしみやしわのみを補正対象とするか、等の補正対象となるしわやしみの度合いを調整することが可能となる。また、元画像のしみやしわの位置の画素値を下地用画像の画素値とあらかじめ設定した割合で合成し、下地用画像の画素値に近づけるため、しみやしわが目立たない滑らかな美肌化画像を生成することが可能になる。
【００１６】
また、本発明は、上記の画像処理装置において、前記下地用画像生成部は、前記入力設定部に入力されるパラメータに基づいて平滑化処理に用いる平滑化フィルタを選択することを特徴とする。
【００１７】
この発明によれば、平滑化フィルタを選択するパラメータをユーザが入力することにより、ユーザが下地用画像を滑らかにする度合いを選択することができる。
【００１８】
また、本発明は、上記の画像処理装置において、前記入力設定部に入力されるパラメータは、補正対象となるしみまたはしわの少なくともいずれか一方の範囲を指定するパラメータであって、当該パラメータに基づいて、前記合成部において前記下地用画像と前記元画像の対応する各画素の比較をする際の閾値が設定されることを特徴とする。
【００１９】
この発明によれば、パラメータを入力することによって、補正対象となるしみやしわの範囲が指定され、ユーザの指示に応じた閾値を設定して補正処理を行うことができる。これにより、ユーザは補正処理を行うにあたり、直感的にわかりやすい方法で範囲を指定することができる。
【００２０】
また、本発明は、上記の画像処理装置において、前記入力設定部に入力されるパラメータは、補正する度合いを指定するパラメータであって、当該パラメータに基づいて、前記合成部において前記元画像と前記下地用画像の画素の画素値を合成する際の割合が設定されることを特徴とする。
【００２１】
この発明によれば、パラメータ入力をすることによって、しみやしわをより目立たなくするか、少しだけ目立たなくするか、等のしみやしわを補正する度合いが指定され、ユーザの指示に応じた合成の割合を設定して補正処理を行うことができる。これにより、ユーザは補正処理を行うにあたり、直感的にわかりやすい方法で補正の度合いを指定することができる。
【００２２】
また、本発明は、上記の画像処理装置において、前記合成部で生成される美肌化画像を印刷する印刷部を有することを特徴とする。
【００２３】
この発明によれば、ユーザは補正を施した美肌化画像を印刷することが可能になる。
【００２４】
また、本発明は、上記の画像処理装置が、補正対象となる人物画像の画像データである元画像を取得するステップと、画像処理装置が、取得した前記元画像から顔の肌の部分である顔肌領域を抽出することにより、前記元画像に前記顔肌領域の位置情報を付加したマスク付画像を生成するステップと、画像処理装置が、前記マスク付画像から平滑化処理により下地用画像を生成するステップと、画像処理装置が、前記下地用画像と前記元画像の対応する各画素の色情報を比較し、その差があらかじめ設定してある閾値以上の画素は前記元画像の画素値を前記下地用画像の画素値とあらかじめ設定した割合で合成した値へ変更するステップと、を有する画像処理方法である。
【００２５】
また、本発明は、コンピュータに、補正対象となる人物画像の画像データである元画像を取得するステップと、取得した前記元画像から顔の肌の部分である顔肌領域を抽出することにより、前記元画像に前記顔肌領域の位置情報を付加したマスク付画像を生成するステップと、前記マスク付画像から平滑化処理により下地用画像を生成するステップと、前記下地用画像と前記元画像の対応する各画素の色情報を比較し、その差があらかじめ設定してある閾値以上の画素は前記元画像の画素値を前記下地用画像の画素値とあらかじめ設定した割合で合成した値へ変更するステップと、を実行させるためのプログラムである。
【発明の効果】
【００２６】
本発明によれば、元画像を取得し、該元画像を基に顔の肌の部分である顔肌領域の画像を滑らかにする平滑化処理を施した画像を生成するので、人物画像を撮影後に、ユーザが簡単な操作で補正を行うことが可能になる。
【発明を実施するための最良の形態】
【００２７】
以下、図面を参照しながら本発明の実施形態について詳しく説明する。図１は、本実施形態の画像処理装置が実行する処理の概念を説明するための図である。この図の(a)は、補正対象となる人物画像の元画像１００である。また、同図の(b)は、しみやしわ等を含め、画像の濃淡を軽減させた下地用画像３００であり、この画像は(a)の元画像１００から顔の肌の部分である肌領域を抽出した画像に対して後述する平滑化処理による補正を施すことによって生成される。この下地用画像３００では、補正を行うことによりしみやしわなどが目立たなくなっている。このようにして得られる下地用画像３００と、元画像１００とを合成して、しみやしわなどが目立たなくなった見栄えのよい同図の(c)の美肌化画像４００が生成される。
【００２８】
次に、本実施形態の具体的な構成を説明する。図２は、本発明の一実施形態による画像処理装置の構成を示すブロック図である。画像処理装置１は、画像情報取得部２と、入力設定部３と、画像処理部４と、印刷部５と、から構成される。また、画像処理部４は、顔肌領域抽出画像生成部４１と、下地用画像生成部４２と、合成部４３と、から構成される。
【００２９】
画像情報取得部２は、画像処理装置１へ入力される補正対象となる人物画像の画像データである元画像１００（図１(a)参照）を取得し、該元画像１００を顔肌領域抽出画像生成部４１と合成部４３とへ出力する。  
【００３０】
画像処理部４は、画像情報取得部２から入力された元画像１００に対して、顔肌領域抽出画像生成部４１、下地用画像生成部４２、合成部４３により以下のような補正を行う。
【００３１】
顔肌領域抽出画像生成部４１は、画像情報取得部２から取得した元画像１００から、顔の肌の部分である顔肌領域を抽出して、顔肌領域の位置情報を付加したマスク付画像２００を生成し、該マスク付画像２００を下地用画像生成部４２へ出力する。顔肌領域の抽出方法として、例えば、画素値が所定範囲（肌色）にある画素に対応する部分のみを元画像１００から抽出する方法を用いる。顔肌領域を抽出する際には、目や鼻、口などの特徴領域は後述する補正を施さないようにするため、これらの特徴領域を除いて肌領域とする。ここでは前記特徴領域の位置に基づいて顔に相当する領域を特定する。また、大きなホクロは特徴として残しておきたいため顔肌領域から除きたい場合は、入力設定部3に除外すべき特徴領域の大きさを指定したパラメータを設定しておき、そのパラメータに基づいて該指定された大きさの特徴領域を認識し、該領域を除外して顔肌領域を生成することもできる。
【００３２】
下地用画像生成部４２は、顔肌領域抽出画像生成部４１から入力されたマスク付画像２００に対して平滑化処理による補正を行うことにより下地用画像３００を生成する。平滑化処理とは、場所による色の変化を滑らかにする処理であり、例えば、所定範囲の画素についてその画素値を平均する等の処理により、画像に載ったランダムなノイズの除去や、画素ごと細かい変化の軽減を行い、滑らかな画像にする処理のことである。ランダムなノイズの除去や画像ごと細かい変化の軽減を行うことによりしみやしわを含めた画像の濃淡が軽減される。この平滑化処理には、例えば平滑化フィルタが適用される。このようにして下地用画像３００が生成され（図１(b)参照）、この下地用画像３００は合成部４３へ出力される。
【００３３】
合成部４３は、画像情報取得部２で取得した元画像１００と下地用画像生成部４２で生成した下地用画像３００を合成して美肌化画像４００（図１(c)参照）を生成する。
即ち、まず、元画像１００と下地用画像３００のそれぞれ対応する各画素の色情報を比較し、その差があらかじめ設定してある閾値以上の画素は元画像１００の画素値と下地用画像３００の画素値を設定した割合で合成し、顔肌領域の画像を生成する。設定した割合で合成するとは、元画像１００の画素値を下地用画像３００の画素値に近い値へ変更することである。どのような画素値に変更するかは、入力設定部３で設定したパラメータの補正レベルによって決定されている。例えば、補正レベルが高く設定されている場合に、下地用画像３００の画素値へより近い画素値に変更されるようにする。このようにすると、しみやしわがより目立たなくなる。また、上記の閾値は入力設定部３でユーザが設定するパラメータであり、閾値が小さいほど画素値が変更される画素が多くなるので、軽度なしみやしわを補正できることとなる。
【００３４】
図３は、合成部４２の処理を説明する具体例を示したものである。横軸は画像データの画素位置、縦軸は画素値であり、例えばＲＧＢなどの色情報である。実線は元画像１００のデータである。しみやしわの位置では、肌と大きく色情報が異なるため、対応する画素位置で実線には凹みが生じている。マスク付画像２００のデータへ平滑化処理を行うと、所定範囲の画素についてその画素値が周辺の画素値と平滑化されるため、点線のような滑らかな曲線データが得られる。これが下地用画像３００である。そして、このようにして得られた下地用画像３００の画素値と元画像１００の画素値を各画素について比較し、その差が閾値以上であるかどうかを判断する。例えば、画素位置（ｘ，ｙ）おける元画像１００の画素値ａ（ｘ，ｙ）と下地用画像３００の画素値ａ´（ｘ，ｙ）の差が大きくなっているが、この差が閾値ｓ以上である場合、美肌化画像の画素位置（ｘ，ｙ）における画素値がパラメータに基づいて計算される画素値Ａ（ｘ，ｙ）へと変更される。画素値Ａ（ｘ，ｙ）は、αを合成する割合とすると、下記数式１
【数１】
0004984247.tif 000002
となる。またこの式以外にも、下記数式２
【数２】
0004984247.tif 000003
を使用してもよい。なお、数式１を使用する場合は、構成が簡易になるため、家庭用の画像処理装置１に適しており、数式２を使用する場合は、より厳密な合成が行われるので、業務用の画像処理装置１に適している。この様な処理を各画素について繰り返し、変更された画素値に基づいて画像が生成される。
【００３５】
最後に、生成された顔肌領域の画像を元画像１００にはめ込む、つまり、元画像１００の顔肌領域の画素値を生成された顔肌領域の画像の画素値に変更することにより美肌化画像４００を生成する。この合成により、しみやしわなどが目立たない見栄えの良い写真を生成することができる。該美肌化画像４００は印刷部５へ出力される。
【００３６】
印刷部５は、画像処理部４で生成した美肌化画像４００を印刷する。
【００３７】
入力設定部３は、ユーザからの入力を受付け、画像処理部４のパラメータを設定する。このパラメータには、補正レベルのパラメータと、閾値のパラメータとがあり、これらは合成部４２で用いられる。閾値のパラメータは、補正対象となるしみまたはしわの少なくともいずれか一方の範囲を指定するパラメータであって、このパラメータに基づいて、下地用画像３００と元画像１００の対応する各画素の比較をする際の閾値が設定される。補正レベルのパラメータは、補正する度合いを指定するパラメータであって、このパラメータに基づいて、元画像１００と下地用画像３００の画素の画素値を合成する際の割合が設定される。上述したように、これらのパラメータを設定することにより、補正レベルが高いほどしみやしわをより目立たなくしたり、閾値が小さいほど軽度なしみやしわを補正したりすることができる。また、必要に応じて、顔肌領域抽出画像生成部４１で用いるパラメータとして、上述したように人物の特徴となる大きなホクロなどの除外すべき特徴領域の大きさを指定するパラメータを設定することも可能である。ユーザはシーンに応じてこれらのパラメータを変更することができる。なお、この実施形態においては、パラメータが予め設定されている場合について説明し、ユーザが設定する場合については後述する。
【００３８】
図４は、上述した画像処理装置１における処理の流れの一例を表すフローチャートである。まず、画像情報取得部２は、補正対象となる人物画像の画像データである元画像１００の取得を行い（ステップS１）、顔肌領域抽出画像生成部４１へ出力をする。次に顔肌領域抽出画像生成部４１は、入力された元画像１００から、顔の肌の部分である顔肌領域を抽出することによりマスク付画像２００を生成し（ステップS２）、下地用画像３００生成部４２へ出力する。
【００３９】
次いで、下地用画像生成部４２は、入力されたマスク付画像２００へ平滑化処理を行うことにより下地用画像３００を生成し（ステップS３）、合成部４３へ出力する。合成部４３は、まず、肌領域画像と下地用画像３００の対応する各画素の色情報を比較し、その差が閾値以上であるか否かを判断する（ステップS４）。差が閾値以上であれば元画像１００の画素と下地用画像３００の画素を設定した割合で合成する（ステップS５）。その後、顔肌領域のすべての画素についてステップS4からステップS５までの処理が終わったかどうかを判断し（ステップS６）、終わっていない場合（ステップS７）は、ステップS４以降の処理を繰り返す。また、ステップS４で差が閾値未満であれば、ステップS５の処理は飛ばしてステップS６以降の処理を行う。
【００４０】
すべての画素が終了すると、合成部４３は、生成された顔肌領域の画像を画像情報取得部２で取得した元画像１００にはめ込むことで美肌化画像４００を生成し（ステップS８）、該美肌化画像４００を印刷部５へ出力する。このようにして、しみやしわなどが目立たない見栄えの良い写真が生成される。最後に印刷部５は、合成部４３から出力された美肌化画像４００を印刷する（ステップS９）。
【００４１】
このように、本実施形態によれば、人物画像を撮影後に補正が可能であり、ユーザが簡単な操作で補正を行うことができる。また、以上説明した実施形態においては、パラメータが予め設定されるようにした。すなわち、画像処理装置の管理者等が標準的なパラメータをあらかじめ設定しておくことによって、ユーザはパラメータを入力しなくても、補正対象に人物画像を指定するだけで補正処理が可能になる。
【００４２】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、顔肌領域を自動で生成せず、ユーザが領域を選択して顔肌領域を生成しても構わない。また、印刷部５を表示部に置き換えた構成も可能である。
【００４３】
なお、上述した実施形態において、パラメータは予め設定される場合について説明したが、ユーザが入力できるようにしてもよい。
図５は、ユーザがパラメータを入力する画面の一例を表す図である。この図における画面では、ユーザが直感的にわかりやすい内容を指定することができる。この図において、補正の範囲に大きなものまで含めるか否かを決定するスライドバー（符号ａ）は、人物の特徴となる大きなホクロなど補正の範囲から除外すべき特徴領域の大きさを設定する。このスライドバーを「含める」に近づけると除外すべき特徴領域は大きくなり、「省く」に近づけると除外すべき特徴領域は小さくなる。補正の範囲に薄いものまで含めるか否かを決定するスライドバー（符号ｂ）は、補正対象となるしわやしみの重度を設定する。「含める」にスライドバーを近づけると薄いしわやしみまで補正の対象となり、「省く」に近づけると薄いものは補正の対象外となる。合成の割合を決定するスライドバー（符号ｃ）は、合成の強度を設定する。「強く」にスライドバーを近づけると、補正の強さが強く（しみやしわが目立たなくなる度合いが強く）なり、「弱く」に近づけると補正の度合いが弱く（元画像１００の度合いが強く）なる。
このようにして、ユーザはスライドバーを移動させるだけでパラメータを設定することができる。従って、特別な知識がなくても直感的に分かり易い指定方法でパラメータの設定を行うことができる。なお、複数の平滑化フィルタを画像処理装置内に持ち、ユーザからの入力で平滑化処理で用いる平滑化フィルタを選択できる。
【００４４】
また、図２における各部の機能を実現するためのプログラムをコンピュータ読み取り可能な記録媒体に記録して、この記録媒体に記録されたプログラムをコンピュータシステムに読み込ませ、実行することにより、画像処理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００４５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００４６】
【図１】本実施形態の画像処理装置が実行する処理の概念を説明するための図である。
【図２】本発明の一実施形態による画像処理装置の構成を示すブロック図である。
【図３】下地用画像生成部の処理を説明する具体例を示した図である。
【図４】本実施形態の画像処理装置における処理の流れの一例を表すフローチャートである。
【図５】ユーザがパラメータを入力する画面の一例を表す図である。
【符号の説明】
【００４７】
１…画像処理装置  ２…画像情報取得部  ３…入力設定部  ４…画像処理部  ４１…顔肌領域抽出画像生成部  ４２…下地用画像生成部  ４３…合成部  ５…印刷部  １００…元画像  ２００…マスク付画像  ３００…下地用画像  ４００…美肌化画像
【図１】
0004984247.tif 000004
【図２】
0004984247.tif 000005
【図３】
0004984247.tif 000006
【図４】
0004984247.tif 000007
【図５】
0004984247.tif 000008